(57)【要約】      （修正有）【課題】衣類への取り付け及び取り外しが容易且つ衣類へ強固に取り付けることができるとともに、商品情報を視認しやすい表示ラベルを提供する。【解決手段】表示ラベル１０は、衣類のベルトループに取り付けられる本体部１１と、本体部が衣類に取り付けられた状態において、当該衣類の外縁よりも外側に突出するとともに当該衣類に関する商品情報を表示する表示部１２と、本体部の縁から突出するとともに、折り返されることで本体部とともに衣類を挟むように構成された突片１０Ｂとを有し、本体部には、本体部の一部が切り込まれてなり、ベルトループに挿通されるように構成された挿通片１３が設けられている。【選択図】図１
0003234985.tif 000002
【実用新案登録請求の範囲】
【請求項１】
ベルトループを有する衣類に取り付けられ、当該衣類に関する商品情報を表示する表示ラベルであって、
本体部と、
前記本体部が前記衣類に取り付けられた状態において、当該衣類の外縁よりも外側に突出するとともに当該衣類に関する商品情報を表示する表示部と、
前記本体部の縁から突出するとともに、折り返されることで前記本体部とともに前記衣類を挟むように構成された突片と、を有し、
前記本体部には、前記本体部の一部が切り込まれてなり、前記ベルトループに挿通されるように構成された挿通片が設けられている、
表示ラベル。
【請求項２】
前記挿通片には、前記挿通片の先端側に向けて徐々に幅が小さくされたテーパ部が設けられている、
請求項１に記載の表示ラベル。
【請求項３】
前記挿通片には、前記テーパ部から前記挿通片の基端側に向けて延びるとともに前記テーパ部の最大幅と同一の幅を有する平行部が設けられている、
請求項２に記載の表示ラベル。
【請求項４】
ベルトループを有する衣類と、
請求項１〜請求項３のいずれか一項に記載の表示ラベルと、
前記衣類に対して前記表示ラベルを留める縫糸と、を備え、
前記ベルトループに前記挿通片が挿通されることで前記表示ラベルが前記衣類に取り付けられた状態において、前記表示部が当該衣類の外縁よりも外側に突出しており、
前記縫糸は、前記衣類を挟んでいる前記本体部及び前記突片を留めている、
衣類への表示ラベルの取付構造。
【考案の詳細な説明】
【技術分野】
【０００１】
本考案は、衣類に取り付けられ、当該衣類に関する商品情報を表示する表示ラベル及び衣類への表示ラベルの取付構造に関する。
【背景技術】
【０００２】
販売店において商品としての衣類を陳列する場合、衣類には、そのブランド名や商品名、サイズ等の当該衣類に関する商品情報を表示するシート状の表示ラベルが取り付けられている。
【０００３】
ズボンやスカートなどの衣類は、ハンガ等により吊るされた状態で陳列されることが多い。このような衣類の表示ラベルとしては、ベルトループに紐で吊り下げられるものが知られている。
【考案の概要】
【考案が解決しようとする課題】
【０００４】
しかしながら、従来の表示ラベルにおいては、衣類をハンガ等によって吊り下げた状態で複数着重ねて陳列した場合、衣類同士が重なることで表示ラベルが隣り合う衣類同士の間に隠れてしまい、表示ラベルを視認しにくいという問題点がある。
【０００５】
本考案の目的は、衣類への取り付け及び取り外しが容易且つ衣類へ強固に取り付けることができるとともに、商品情報を視認しやすい表示ラベルを提供することである。
【課題を解決するための手段】
【０００６】
上記目的を達成するための表示ラベルは、ベルトループを有する衣類に取り付けられ、当該衣類に関する商品情報を表示するものであって、本体部と、前記本体部が前記衣類に取り付けられた状態において、当該衣類の外縁よりも外側に突出するとともに当該衣類に関する商品情報を表示する表示部と、前記本体部の縁から突出するとともに、折り返されることで前記本体部とともに前記衣類を挟むように構成された突片と、を有し、前記本体部には、前記本体部の一部が切り込まれてなり、前記ベルトループに挿通されるように構成された挿通片が設けられている。
【０００７】
また、上記目的を達成するための衣類への表示ラベルの取付構造は、ベルトループを有する衣類と、前記表示ラベルと、前記衣類に対して前記表示ラベルを留める縫糸と、を備え、前記ベルトループに前記挿通片が挿通されることで前記表示ラベルが前記衣類に取り付けられた状態において、前記表示部が当該衣類の外縁よりも外側に突出しており、前記縫糸は、前記衣類を挟んでいる前記本体部及び前記突片を留めている。
【０００８】
上記各構成によれば、ベルトループに挿通片を差し込むとともに衣類を挟んでいる本体部及び突片を縫糸によって留めることによって衣類に対して表示ラベルを容易且つ強固に取り付けることができる。また、上記構成によれば、表示ラベルのうち、衣類の外縁よりも外側に突出する部分が表示部とされるため、当該衣類がハンガ等によって吊り下げられた状態で複数着重ねて陳列されている場合においても、表示部を容易に視認することができる。また、上記構成によれば、ベルトループに挿通片が差し込まれていることと、上記縫糸とによって表示ラベルが少なくとも２箇所で位置決めされるため、表示ラベルの姿勢が安定する。このため、挿通片を有していない従来の表示ラベルのように縫糸により表示ラベルを留める箇所を複数設ける必要がなくなる。
【考案の効果】
【０００９】
本考案によれば、衣類への取り付け及び取り外しが容易且つ衣類へ強固に取り付けることができるとともに、商品情報を視認しやすい表示ラベルを提供することができる。
【図面の簡単な説明】
【００１０】
【図１】図１（ａ）は、一実施形態の表示ラベルの表面を示す平面図であり、図１（ｂ）は、同実施形態の表示ラベルの裏面を示す平面図である。
【図２】図２（ａ）は、図１の表示ラベルが表面をズボンの表側に向けてズボンに取り付けられた状態の正面図であり、図２（ｂ）は、図２（ａ）のズボン及び表示ラベルをズボンの内側から示す背面図である。
【図３】図３（ａ）は、図１の表示ラベルが裏面をズボンの表側に向けてズボンに取り付けられた状態の正面図であり、図３（ｂ）は、ズボンの後側において、図１の表示ラベルが表面をズボンの表側に向けてズボンに取り付けられた状態の正面図である。
【図４】図４（ａ）は、変形例の表示ラベルの表面を示す正面図であり、図４（ｂ）は、同変形例の表示ラベルの裏面を示す正面図である。
【図５】図５（ａ）は、図４の表示ラベルが表面をズボンの表側に向けてズボンに取り付けられた状態の正面図であり、図５（ｂ）は、図５（ａ）のズボン及び表示ラベルをズボンの内側から見たときの背面図である。
【考案を実施するための形態】
【００１１】
以下、図１〜図３を参照して、表示ラベルの一実施形態について説明する。
本実施形態の表示ラベルは、ベルトループを有するズボンに取り付けられるものである。
【００１２】
まず、表示ラベルの表面について説明する。
図１（ａ）に示すように、表示ラベル１０は、長方形シート状のラベル本体１０Ａと、ラベル本体１０Ａの縁から突出する長方形シート状の突片１０Ｂとを有している。本実施形態の表示ラベル１０は、一枚の厚紙からなる。
【００１３】
ラベル本体１０Ａは、上記長方形の一方（図１（ａ）の右方）の短辺及び両方（図１（ａ）の上方及び下方）の長辺の一部を含む長方形状の領域である本体部１１を有している。
【００１４】
ラベル本体１０Ａは、ラベル本体１０Ａのうち本体部１１以外の領域、すなわち、本体部１１の他方（図１（ａ）の左方）の短辺（図１（ａ）に二点鎖線にて示す）に隣り合う長方形状の領域である表示部１２を有している。
【００１５】
以降において、ラベル本体１０Ａの長辺方向を第１方向Ｘとし、短辺方向を第２方向Ｙとして説明する。また、図１（ａ）に二点鎖線にて示すように、第２方向Ｙと平行に延びる本体部１１と表示部１２との境界線を第１境界線Ｌ１として説明する。
【００１６】
本体部１１には、本体部１１の一部が切り込まれてなり、ベルトループ１６に挿通される挿通片１３が設けられている。挿通片１３は、第１境界線Ｌ１上において本体部１１と連結されるとともに第１方向Ｘに延びている。
【００１７】
挿通片１３は、幅Ｗ（図１（ａ）の上下の長さ）が一定とされた平行部１３ａと、平行部１３ａの先端側に連なるとともに挿通片１３の先端側に向けて徐々に幅Ｗが小さくされたテーパ部１３ｂとを有している。
【００１８】
すなわち、平行部１３ａは、テーパ部１３ｂから挿通片１３の基端側に向けて延びるとともにテーパ部１３ｂの最大幅と同一の幅を有している。なお、挿通片１３の先端側における一対の角部１３ｃは、円弧状に面取りされている。
【００１９】
表示部１２は、例えば表示ラベル１０が取り付けられる衣類の商品名やサイズ等の商品情報を表示する部分である。表示部１２には、当該商品情報を表示する文字や数字等が印刷されている。
【００２０】
突片１０Ｂは、本体部１１における第１方向Ｘに延びる一方の縁１１ａから第２方向Ｙに突出している。
本実施形態では、突片１０Ｂは、第１方向Ｘにおいて表示部１２とは反対側に設けられている。
【００２１】
次に、表示ラベル１０の裏面について説明する。
図１（ｂ）に示すように、裏面における本体部１１及び表示部１２の配置は、表面における本体部１１及び表示部１２の配置を第１方向Ｘにおいて反転させたものである。
【００２２】
本体部１１は、ラベル本体１０Ａの長方形の一方（図１（ｂ）の左方）の短辺及び両方（図１（ｂ）の上方及び下方）の長辺の一部を含む長方形状の領域である。また、表示部１２は、表示ラベル１０のうち、本体部１１以外の領域、すなわち、本体部１１の他方（図１（ｂ）の右方）の短辺（同図に二点鎖線にて示す）に隣り合う長方形状の領域である。
【００２３】
次に、図２を参照して、表示ラベル１０が表面をズボン１５の表側に向けてズボン１５に取り付けられた構造の一例について説明する。
図２（ａ）に示すように、正面視において前開き部分が内側に隠れるように、且つ左側に位置するようにして左右の股下部分同士が重ね合わされているズボン１５に対して表示ラベル１０が取り付けられる。ズボン１５には、最も前側（同図の左側）に位置するベルトループ１６に対して前側から表示ラベル１０の挿通片１３が挿通されている。
【００２４】
図２（ｂ）に示すように、突片１０Ｂがズボン１５の内側に向けて折り返されることで、ズボン１５が本体部１１と突片１０Ｂとによって挟まれている。
縫糸１８によって、ズボン１５を挟んでいる突片１０Ｂ及び本体部１１が留められている。
【００２５】
このようにして表示ラベル１０の本体部１１がズボン１５に取り付けられた状態において、表示部１２は、ズボン１５の幅方向の外縁（図２（ａ）の左側縁）よりも外側に突出している。
【００２６】
ズボン１５は、表示ラベル１０が取り付けられ、且つハンガ１７により吊り下げられた状態にて販売店において陳列される。
次に、図３（ａ）を参照して、表示ラベル１０が裏面をズボン１５の表側に向けてズボン１５に取り付けられた構造の一例について説明する。
【００２７】
図３（ａ）に示すように、正面視において前開き部分が内側に隠れるように、且つ右側に位置するようにして左右の股下部分同士が重ね合わされているズボン１５に対して表示ラベル１０が取り付けられる。ズボン１５には、最も前側（同図の右側）に位置するベルトループ１６に対して前側から表示ラベル１０の挿通片１３が挿通されている。
【００２８】
突片１０Ｂがズボン１５の内面に向けて折り返されることで、ズボン１５が本体部１１と突片１０Ｂとによって挟まれている。
縫糸１８によって、ズボン１５を挟んでいる突片１０Ｂ及び本体部１１が留められている。
【００２９】
このようにして表示ラベル１０の本体部１１がズボン１５に取り付けられた状態において、表示部１２は、ズボン１５の幅方向の外縁（図３（ａ）の右側縁）よりも外側に突出している。
【００３０】
また、図３（ｂ）に示すように、正面視において、左右の股下部分が互いに離間されているズボン１５に対して表示ラベル１０が取り付けられる。ズボン１５には、ズボン１５の後側であり、且つ幅方向の最も外側（図３（ｂ）の左側）に位置するベルトループ１６に対して外側から表示ラベル１０の挿通片１３が挿通されている。
【００３１】
この場合においても、突片１０Ｂがズボン１５の内面に向けて折り返されることで、ズボン１５が本体部１１と突片１０Ｂとによって挟まれている。また、縫糸１８によって、ズボン１５を挟んでいる突片１０Ｂ及び本体部１１が留められている。
【００３２】
このようにして表示ラベル１０の本体部１１がズボン１５に取り付けられた状態において、表示部１２は、ズボン１５の幅方向の外縁（図３（ｂ）の左側縁）よりも外側に突出している。
【００３３】
以上説明した本実施形態に係る表示ラベル及び衣類への表示ラベルの取付構造によれば、以下に示す作用効果が得られるようになる。
（１）表示ラベル１０は、本体部１１と、本体部１１がズボン１５に取り付けられた状態において、当該ズボン１５の外縁よりも外側に突出するとともに当該ズボン１５に関する商品情報を表示する表示部１２とを有している。また、表示ラベル１０は、本体部１１の縁から突出するとともに、折り返されることで本体部１１とともにズボン１５を挟むように構成された突片１０Ｂを有している。本体部１１には、本体部１１の一部が切り込まれてなり、ベルトループ１６に挿通されるように構成された挿通片１３が設けられている。
【００３４】
こうした構成によれば、ベルトループ１６に挿通片１３を差し込むとともにズボン１５を挟んでいる本体部１１及び突片１０Ｂを縫糸１８によって留めることによってズボン１５に対して表示ラベル１０を容易且つ強固に取り付けることができる。
【００３５】
また、上記構成によれば、表示ラベル１０のうち、ズボン１５の外縁よりも外側に突出する部分が表示部１２とされている。このため、当該ズボン１５がハンガ等によって吊り下げられた状態で複数着重ねて陳列されている場合においても、表示部１２を容易に視認することができる。
【００３６】
また、上記構成によれば、ベルトループ１６に挿通片１３が差し込まれていることと、上記縫糸１８とによって表示ラベル１０が２箇所で位置決めされるため、表示ラベルの姿勢が安定する。このため、挿通片を有していない従来の表示ラベルのように縫糸により表示ラベルを留める箇所を複数設ける必要がなくなる。
【００３７】
したがって、ズボン１５への取り付け及び取り外しが容易且つズボン１５へ強固に取り付けることができるとともに、商品情報を視認しやすい表示ラベル１０を提供することができる。
【００３８】
（２）挿通片１３には、挿通片１３の先端側に向けて徐々に幅が小さくされたテーパ部１３ｂが設けられている。
こうした構成によれば、挿通片１３の幅がその先端側、すなわち差し込み方向前側に向けて徐々に小さくされたテーパ部１３ｂが設けられているため、挿通片１３をベルトループ１６に挿通しやすくなる。
【００３９】
（３）挿通片１３には、テーパ部１３ｂから挿通片１３の基端側に向けて延びるとともにテーパ部１３ｂの最大幅と同一の幅を有する平行部１３ａが設けられている。
こうした構成によれば、ベルトループ１６の互いに平行な内側縁に対して挿通片１３の平行部１３ａが係合されることで、ズボン１５に対して表示ラベル１０が適切な姿勢となる。このため、ズボン１５に対して表示ラベル１０を適切な姿勢にて取り付けることができる。
【００４０】
（４）ズボン１５への表示ラベル１０の取付構造は、ベルトループ１６を有するズボン１５と、表示ラベル１０と、ズボン１５に対して表示ラベル１０を留める縫糸１８とを備えている。ベルトループ１６に挿通片１３が挿通されることで表示ラベル１０がズボン１５に取り付けられた状態において、表示部１２がズボン１５の外縁よりも外側に突出している。また、縫糸１８は、ズボン１５を挟んでいる本体部１１及び突片１０Ｂを留めている。
【００４１】
こうした構成によれば、上記作用効果（１）を奏することができる。
（５）表示ラベル１０の両面に表示部１２が設けられている。
こうした構成によれば、表示部１２が表面と裏面にそれぞれ設けられているため、表裏のどちら側から表示ラベル１０を見たとしても、商品情報を視認することができる。
【００４２】
＜変形例＞
本実施形態は、以下のように変更して実施することができる。本実施形態及び以下の変更例は、技術的に矛盾しない範囲で互いに組み合わせて実施することができる。
【００４３】
・ズボン１５を挟んでいる本体部１１及び突片１０Ｂを留めているのであれば、縫糸１８の位置は適宜変更してもよい。
・上記実施形態では、表示ラベル１０の本体部１１がズボン１５に取り付けられた状態において、表示部１２が、ズボン１５の幅方向の外縁よりも外側に突出する構成について例示した。これに代えて、表示ラベル１０の本体部１１がズボン１５に取り付けられた状態において、表示部１２が、ズボン１５の上下方向の外縁よりも上方に突出する構成を採用してもよい。
【００４４】
図４（ａ）及び図４（ｂ）に示すように、表示部１２は、本体部１１に隣り合う逆Ｌ字状の領域である。
突片１０Ｂは、第１方向Ｘにおいて表示部１２と隣り合っている。突片１０Ｂと表示部１２との間には、第２方向Ｙに延びるスリット１９が設けられている。
【００４５】
図５（ａ）に示すように、表示ラベル１０が表面をズボン１５の表側に向けてズボン１５に取り付けられた状態において、表示部１２は、ズボン１５の幅方向の外縁（図５（ａ）の左側縁）よりも外側に突出する。また、表示部１２は、上下方向の外縁（図５（ａ）の上側縁）よりも外側に突出している。
【００４６】
図５（ｂ）に示すように、スリット１９が設けられていることによって、突片１０Ｂは本体部１１の外縁を起点として折り曲げられている。
・表示部１２は、表示ラベル１０が衣類に取り付けられた際に、ズボン１５の外縁から上方に突出する部分のみによって構成されていてもよい。
【００４７】
・テーパ部１３ｂを省略し、挿通片１３を平行部１３ａのみによって構成することもできる。
・平行部１３ａを省略し、挿通片１３をテーパ部１３ｂのみによって構成することもできる。
【００４８】
・本考案に係る表示ラベルを、ベルトループを有するスカート等のズボン以外の衣類に対して取り付けることもできる。
・上記実施形態では、表示ラベル１０の両面に表示部１２を設けるようにしているが、裏面の表示部１２を省略することもできる。
【００４９】
・突片１０Ｂの位置は、第１方向Ｘにおいて適宜変更することができる。
・突片１０Ｂは、第１方向Ｘにおいて本体部１１の全体にわたって設けられていてもよい。
【００５０】
・厚紙に代えて、樹脂シートによって表示ラベルを構成することもできる。
【符号の説明】
【００５１】
１０…表示ラベル
１０Ａ…ラベル本体
１０Ｂ…突片
１１…本体部
１２…表示部
１３…挿通片
１３ａ…平行部
１３ｂ…テーパ部
１３ｃ…角部
１５…ズボン
１６…ベルトループ
１７…ハンガ
１８…縫糸
１９…スリット
【図１】
0003234985.tif 000003
【図２】
0003234985.tif 000004
【図３】
0003234985.tif 000005
【図４】
0003234985.tif 000006
【図５】
0003234985.tif 000007